(57)【特許請求の範囲】
【請求項１】
原液を電気分解する電解槽と、この電解槽へ原液を送り込む原液ポンプと、水道水を供給する給水装置と、この給水装置の吐出側と前記電解槽の吐出側を連結する吐出管と、固定台に立設する支持板を有し、前記支持板の片面に前記電解槽を配置し、もう一方の片面に前記原液ポンプ、前記給水装置および前記吐出管を配置してなる電解水生成機。
【請求項２】
電解槽に一体に設けた一対の筒部を原液ポンプおよび吐出管にそれぞれ直接接続してなる請求項１記載の電解水生成機。
【請求項３】
電解槽を支持板の片面に配置し、もう一方の片面に原液ポンプ、給水装置および吐出管を配置して一体化した電解水生成部を有し、この電解水生成部を固定台に着脱可能に設けてなる請求項１または請求項２記載の電解水生成機。
【発明の詳細な説明】
【０００１】
【発明の属する技術分野】
本発明は、除菌用原液を電解槽で電気分解して電解液を生成し、水道水により希釈して除菌水を生成する電解水生成機に関する。
【０００２】
【従来の技術】
近年、塩化ナトリウムおよび無機酸等の水溶液から電気分解によって次亜塩素酸、次亜塩素酸イオン、塩素イオン等を発生し、除菌効果のある除菌水を生成する電解水生成機が使用されている。
【０００３】
従来、この種の電解水生成機は図５に示すような構成が一般的であった。
図に示すように、本体１０１は除菌用原液を供給する原液タンク１０２と、除菌用原液を電気分解する電解槽１０３と、この電解槽１０３に原液を送り込むポンプ１０４および前記３点の部品を支持する固定台１０５と、水道水を供給する給水装置１０６を備えており、電解槽１０３で生成された電解液を給水装置１０６の出力側に配置された吐出管１０７にて水道水と混合し除菌水を生成する。これらの動作は制御部１０８にて制御されている。
【０００４】
また、流路の接続には連結ホース１０９を使用し、両端にはホースバンド１１０を使用していた。
【０００５】
【発明が解決しようとする課題】
このような従来の電解水生成機では、電解槽１０３、ポンプ１０４、給水装置１０６などの大型部品が本体１０１内でそれぞれ別々に配置されているために、本体１０１の外形が大型になり設置場所が大きくなるという課題があり、本体の小型化を図ることが要求されている。
【０００６】
本発明は、このような従来の課題を解決するものであり、本体の小型化を図り、設置スペースを小さくできる電解水生成機を提供することを目的としている。
【０００７】
また、各部品間の接続に連結ホース１０９を使用しているため、連結ホース１０９の引き回しにより本体１０１内に余分なスペースが必要となり、また連結ホース１０９と接続用のホースバンド１１０の使用により部品点数が増加するという課題があり、連結ホース１０９の引き回しを減らして本体１０１内の省スペース化を図り、ホースバンド１１０などの付属部品を削減することが要求されている。
【０００８】
本発明は、このような従来の課題を解決するものであり、連結ホースの引き回しを少なくして本体内の省スペース化を図るとともに、付属部品を削減することのできる電解水生成機を提供することを目的としている。
【０００９】
また、電解槽１０３、ポンプ１０４および給水装置１０６を本体１０１の固定台１０５にそれぞれ個別に取り付ける構造となっているために、製品の組立工程における作業性が悪くなるという課題があり、組立工程の作業性を良くすることが要求されている。
【００１０】
本発明は、このような従来の課題を解決するものであり、製品の組立作業が容易な電解水生成機を提供することを目的としている。
【００１１】
また、電解槽１０３が劣化して交換する場合に、電解槽は箱形状の外郭で覆われ、また連結ホースで接続されているため、その交換作業に手間がかかるという課題があり、電解槽１０３の交換作業が容易にできることが要求されている。
【００１２】
本発明は、このような従来の課題を解決するものであり、電解槽の交換作業が容易にできる電解水生成機を提供することを目的としている。
【００１３】
【課題を解決するための手段】
本発明の電解水生成機は上記目的を達成するために、原液を電気分解する電解槽と、この電解槽へ原液を送り込む原液ポンプと、水道水を供給する給水装置と、この給水装置の吐出側と前記電解槽の吐出側を連結する吐出管と、固定台に立設する支持板を有し、前記支持板の片面に前記電解槽を配置し、もう一方の片面に前記原液ポンプ、前記給水装置および前記吐出管を配置する構成としたものである。
【００１４】
本発明によれば、本体の小型化を図り設置スペースを小さくできる電解水生成機が得られる。
【００１５】
また他の手段は、電解槽に一体に設けた一対の筒部を原液ポンプおよび吐出管にそれぞれ直接接続する構成としたものである。
【００１６】
本発明によれば、連結ホースの引き回しを少なくして本体内の省スペース化を図るとともに、付属部品を削減することのできる電解水生成機が得られる。
【００１７】
また他の手段は、電解槽を支持板の片面に配置し、もう一方の片面に原液ポンプ、給水装置および吐出管を配置して一体化した電解水生成部を有し、この電解水生成部を固定台に着脱可能に設けた構成としたものである。
【００１８】
本発明によれば、製品の組立作業が容易な電解水生成機が得られる。
【００２０】
【発明の実施の形態】
本発明は、原液を電気分解する電解槽と、この電解槽へ原液を送り込む原液ポンプと、水道水を供給する給水装置と、この給水装置の吐出側と前記電解槽の吐出側を連結する吐出管と、固定台に立設する支持板を有し、前記支持板の片面に前記電解槽を配置し、もう一方の片面に前記原液ポンプ、前記給水装置および前記吐出管を配置する構成としたものであり、支持板の片面に電解槽を取り付け、支持板の他面に原液ポンプ、給水装置および吐出管を配置することにより、本体内の収納スペースを削減し、本体を小型化できるという作用を有する。
【００２１】
また、電解槽に一体に設けた一対の筒部を原液ポンプおよび吐出管にそれぞれ直接接続する構成としたものであり、各部品を連通して接続する連結パイプの設置スペースを削減するとともに、連結部品の点数を削減できるという作用を有する。
【００２２】
また、電解槽を支持板の片面に配置し、もう一方の片面に原液ポンプ、給水装置および吐出管を配置して一体化した電解水生成部を有し、この電解水生成部を固定台に着脱可能に設けた構成としたものであり、電解槽、原液ポンプ、給水装置および吐出管を全て１枚の支持板に取り付け、後工程でこの支持板を固定台へ装着することにより各部品の組立作業性を向上できるという作用を有する。
【００２４】
以下、本発明の実施例について図面を参照しながら説明する。
【００２５】
【実施例】
（実施例１）
図１〜図３に示すように、本体１内には除菌用原液を貯えた原液タンク２と各部品を保持し、かつ除菌用原液を貯留する固定台３と電解水生成部４およびこれらを制御する制御部５を有している。電解水生成部４は電極板を有する電解槽６と、この電解槽６内に除菌用原液を送り込む原液ポンプ７と、水道水を供給する給水装置８と、前記電解槽６の吐出側と前記給水装置８の吐出側を連結する吐出管９と、各部品を支持する支持板１０で構成されている。
【００２６】
上記構成において制御部５の操作により運転を始めると、原液ポンプ７が駆動して固定台３に貯留している除菌用原液を電解槽６に送り込み、電解槽６内で電気分解されて電解溶液を生成する。一方で給水装置８が駆動して水道水を供給すると生成した電解溶液と水とが吐出管９内にて混合して濃度調整され、除菌効果のある電解水が吐出される。
【００２７】
このように支持板１０の片面に電解槽６を配置し、支持板１０の他面に原液ポンプ７、給水装置８および吐出管９を配置して電解水生成部４を構成することにより、電解水生成部４は１枚の支持板１０の裏表に省スペースで固定することができ、本体１の小型化を図ることができる。
【００２８】
（実施例２）
図２および図３において、支持板１０の片面に配置された電解槽６の下部には、原液ポンプ７と接続するための入口筒部６ａが一体成型されている。原液ポンプ７の連結部７ａ外周にはＯリングが装着され、連結部７ａを前記筒部６ａに挿入することにより液漏れのないように接続されている。また、電解槽６の上部には出口筒部６ｂが一体成型されており、Ｏリングが装着されている。この出口筒部６ｂを吐出管９より延設した第１の筒部９ａに挿入することにより液漏れのないように接続されている。また、吐出管９には第２の筒部９ｂが一体成型されており、給水装置８の連結部８ａとＯリングを介して液漏れのないように接続されている。
【００２９】
上記構成において、流経路の接続はすべて各部品に一体に設けた筒部を用いた接続となり、各部品を直接連結することにより電解水生成部４の各部品の接続に必要なスペースを最小限に抑え、本体の小型化を図ることができるとともに、接続時に連結ホースやホースバンドを使用することがないので接続用部品の削減を図ることができる。
【００３０】
なお、実施例では各部品の接続にＯリングを用いたが、ねじ結合や圧入により連結ホースを使用しない接続方法としてもよく、その作用効果に差異を生じない。
【００３１】
（実施例３）
図１〜図３において、電解水生成部４は支持板１０の片面に電解槽６を取り付け、支持板１０の他の面に原液ポンプ７、給水装置８および吐出管９を取り付けている。支持板１０の下端部には固定台３に挿入して固定するための固定部１０ａ、１０ｂを設け、固定台３には前記固定部１０ａに対応した支持部３ａが設けられている。また、固定台３には固定部１０ｂが挿入できる溝３ｂが設けられており、支持板１０の固定台３に対する位置決め合わせとぐらつき防止の役目をして、強固に固定できるようになっている。
【００３２】
上記構成において、取り付け作業はまず支持板１０の片面に電解槽６をねじ止め固定し、支持板１０を裏返して、もう一方の片面に原液ポンプ７、給水装置８および吐出管９をねじ止め固定する。次に支持板１０下端部の固定部１０ｂを固定台３に挿入して位置決めし、固定部１０ａと支持部３ａをねじ止め固定することにより電解水生成部４を確実に固定することができる。
【００３３】
このように各部品を支持板１０に固定して電解水生成部４を１つのユニットとして構成し、支持板１０の固定部１０ａ、１０ｂにより確実に固定できることになり組立作業を容易に行うことができる。また、支持板１０への各部品の取り付け作業ならびに電解水生成部４の固定台３へのねじ固定作業を分業化することができることから、製造工程における組立手順の変更に随時対応することができる。
【００３４】
（実施例４）
図２〜図４に示すように、本体１の外郭は断面コ字状の前ケース１ａと後ケース１ｂにより構成され、後ケース１ｂを分離可能に設けている。本体１内には固定台３に支持された支持板１０が立設し、支持板１０には電解槽６がねじ止め固定されている。また、電解槽６は後ケース１ｂに面して配置されているので後ケース１ｂを外すと電解槽６が露出して、交換できるようになっている。なお、電解槽６と原液ポンプ７および吐出管９とは入口筒部６ａおよび出口筒部６ｂを介して直接接続しているため、電解槽６交換時の取扱いは簡単にできるようになっている。
【００３５】
上記構成において、電解槽６を交換する場合に、本体１が壁面などに設置されているときは、本体１を壁面より外して、本体１の後ケース１ｂを分離する。
【００３６】
このとき、後ケース１ｂに面して電解槽６が配置されているため、電解槽６は露出し、また２本の固定ねじ１１を外すことにより電解槽６を支持板１０より取り外して新しい電解槽６と交換することができる。
【００３７】
原液ポンプ７と吐出管９への接続は、図３（ロ）に示すように電解槽６の入口筒部６ａに原液ポンプ７の吐出口７ａをＯリング付で挿入し、出口筒部６ｂを吐出管９の入口側にＯリング付で挿入しているので、電解槽６の支持板１０への固定時に同時に行うことができる。
【００３８】
このように、電解槽６の交換の際には、後ケース１ｂを外すだけで電解槽６が露出し、電解槽６を固定している固定ねじ１１を外すことにより、同時に他部品との接続を解いて取り外すことができ、また新しい電解槽６を支持板１０に固定するときに、同時に他部品と接続できるため、交換の作業性を向上することができる。
【００３９】
【発明の効果】
以上の実施例から明らかなように、本発明によれば１枚の支持板の片面に電解槽、もう一方の片面に原液ポンプ、給水装置および吐出管を配置することにより、電解水生成部を小型化するため、本体も小型化して設置スペースを小さくできるという効果のある電解水生成機を提供することができる。
【００４０】
また、支持板の片面に配置された電解槽ともう一方の片面に配置された原液ポンプおよび吐出管との接続を電解槽の筒部を用いて直結することにより、本体内にホースを引き回すためのスペースを削減するとともに、接続用の部品点数も削減できるという効果のある電解水生成機を提供できる。
【００４１】
また、支持板の両面に各部品を配置して電解水生成部を１つのユニットにまとめ、この電解水生成部を固定台に固定する構成とすることにより、電解水生成部の組立作業が容易にできるという効果のある電解水生成機を提供できる。
【００４２】
また、支持板の片面に配置された電解槽を分離可能な外郭板の内面に面するように配置することにより、電解槽の交換作業の作業性を向上できるという効果のある電解水生成機を提供できる。
【図面の簡単な説明】
【図１】本発明の実施例１および実施例３の電解水生成機の内部構造を示す外観斜視図
【図２】（イ）同実施例１〜実施例４の正面断面図
（ロ）同側面図
【図３】（イ）同電解水生成部の要部破断の正面図
（ロ）同側面図
（ハ）同接続部分の拡大斜視図
【図４】（イ）同実施例４の分解側面図
（ロ）同分解背面図
【図５】従来の電解水生成機の正面断面図
【符号の説明】
１    本体
１ｂ  後ケース（外ケース）
３    固定台
４    電解水生成部
６    電解槽
６ａ  入口筒部（筒部）
６ｂ  出口筒部（筒部）
７    原液ポンプ
８    給水装置
９    吐出管
１０  支持板
【図１】
0003761267.tif 000002
【図２】
0003761267.tif 000003
【図３】
0003761267.tif 000004
【図４】
0003761267.tif 000005
【図５】
0003761267.tif 000006